(57)【要約】【課題】画像データの通信が中断されたプリント注文を通信再接続の際、容易に検索することである。【解決手段】画像データの記録媒体への記録の注文を送信する入力機器２と、入力機器２から受信した注文に基づいて画像データの記録媒体への記録の注文を受け付ける受信機器１Ａとを備え、入力機器２は、注文プリント対象画像と当該注文プリント対象画像データのプリント枚数が関連付けられたプリント処理情報を記憶する記憶部３４と、プリント処理情報と入力機器２を特定するための個体識別情報を送信する通信部３６と、を備え、受信機器１Ａは、通信部１７と、入力機器２との通信が中断された際、プリント処理状態情報を中断に設定し、中断前に受信した個体識別情報、プリント処理情報及び注文プリント対象画像データに関連付けて記憶するＨＤＤ１３と、を備える。【選択図】図１
2007158615.tif 000002
【特許請求の範囲】
【請求項１】
画像データの記録媒体への記録の注文を送信する第１の機器と、
当該第１の機器に通信接続され、前記第１の機器から受信した注文に基づいて当該画像データの記録媒体への記録の注文を受け付ける第２の機器と、を備え
前記第１の機器は、
注文プリント対象画像データと当該注文プリント対象画像データのプリント枚数とが関連付けられたプリント処理情報を記憶する第１の記憶手段と、
前記プリント処理情報、プリント対象画像データ及び前記第１の機器を特定するための個体識別情報を前記第２の機器に送信する第１の送信手段と、を備え、
前記第２の機器は、
前記プリント処理情報、前記注文プリント対象画像データ及び前記個体識別情報を前記第１の機器から受信する第１の受信手段と、
前記第１の機器との通信が中断された際、プリントの状態を示すプリント処理状態情報を中断状態に設定する設定手段と、
前記プリント処理状態情報を中断前に受信した前記個体識別情報、前記プリント処理情報及び前記注文プリント対象画像データに関連付けて記憶する第２の記憶手段と、
を備えることを特徴とするプリント注文システム。
【請求項２】
通信中断後に前記個体識別情報及び前記プリント処理情報を受信した場合に、通信中断前に受信した前記個体識別情報と通信中断後に受信した前記個体識別情報とを比較することにより通信再開した第１の機器を特定する特定手段と、
前記通信再開した第１の機器を特定した後、前記第２の記憶手段から中断に設定された前記プリント処理状態情報を検索する検索手段と、
を備えることを特徴とする請求項１に記載のプリント注文システム。
【請求項３】
前記検索の後、前記プリント処理状態情報に該当するプリント処理情報の受信再開の指示を受け付ける入力手段を備え
前記検索手段は、前記入力手段により前記プリント処理情報の受信再開の指示が入力された場合のみ、前記検索を行うことを特徴とする請求項２に記載のプリント注文システム。
【請求項４】
前記個体識別情報は、プリント処理情報のファイル名、プリント処理情報ファイルの日付、画像データの日付、画像データのヘッダに含まれる各種情報のうち、少なくとも１つを含むことを特徴とする請求項１から３のいずれか一項に記載のプリント注文システム。
【請求項５】
前記設定手段は、前記第１の機器の中断指示もしくは所定時間以上通信が中断された場合に、前記プリント処理状態情報に中断状態を設定することを特徴とする請求項１から４のいずれか一項に記載のプリント注文システム。
【請求項６】
前記設定手段は、前記プリント処理情報及び前記個体識別情報の受信が完了しなかった場合、プリント処理状態情報に中断状態を設定しないことを特徴とする請求項１から５のいずれか一項に記載のプリント注文システム。
【請求項７】
前記第１の受信手段は、通信が中断された際、受信が完了した受信画像データを、通信再開時に再受信しないことを特徴とする請求項１から６のいずれか一項に記載のプリント注文システム。
【請求項８】
前記第１の受信手段は、通信が再開された際、中断時に受信が未完了であった未完了受信画像データの受信を再開することを特徴とする請求項１から６のいずれか一項に記載のプリント注文システム。
【請求項９】
前記第２の記憶手段に記憶された注文プリント対象画像データの閲覧、複製を禁止する禁止手段を備えることを特徴とする請求項１から８のいずれか一項に記載のプリント注文システム。
【請求項１０】
前記第２の機器は、
プリント処理情報の受信再開が、所定時間以内に再開されなかった場合、プリント注文を再開不能に設定する再開不能設定手段を備えることを特徴とする請求項１から９のいずれか一項に記載のプリント注文システム。
【請求項１１】
前記第２の機器は、
プリント処理情報の受信再開が、所定時間以内に再開されなかった場合、中断した第１の機器の所有者に対して通知を行う通知手段を備えることを特徴とする請求項１から１０のいずれか一項に記載のプリント注文システム。
【請求項１２】
前記第１の機器は、
ユーザによる通信接続の変更要求を送信する第２の送信手段を備え、
前記第２の機器は、
ユーザによる通信接続の変更要求を受信する第２の受信手段と、
通信接続を中断する中断手段と、
通信接続を中断した後、前記第１の機器の接続を待つ待機手段と、
前記待機手段により、前記第１の機器の接続を検出した後、通信を再開する通信再開手段と、
を備えることを特徴とする請求項１に記載のプリント注文システム。
【請求項１３】
第１の機器により、
注文プリント対象画像データと当該注文プリント対象画像データのプリント枚数とが関連付けられたプリント処理情報を記憶する第１の記憶工程と、
前記プリント処理情報、注文プリント対象画像データ及び前記第１の機器を特定するための個体識別情報を前記第２の機器に送信する第１の送信工程と、
第２の機器により、
前記プリント処理情報、前記注文プリント対象画像データ及び前記個体識別情報を前記第１の機器から受信する第１の受信工程と、
前記第１の機器との通信が中断された際、プリントの状態を示すプリント処理状態情報の送信を中断状態に設定する設定工程と、
前記プリント処理状態情報を中断前に受信した前記個体識別情報、前記プリント処理情報及び前記プリント対象画像データに関連付けて記憶する第２の記憶工程と、
を含むことを特徴とするプリント注文方法。
【請求項１４】
通信中断後に前記個体識別情報及び前記プリント処理情報を受信した場合に、通信中断前に受信した前記個体識別情報と通信中断後に受信した前記個体識別情報とを比較することにより通信再開した第１の機器を特定する特定工程と、
前記通信再開した第１の機器を特定した後、前記第２の記憶工程から中断に設定された前記プリント処理状態情報を検索する検索工程と、
を含むことを特徴とする請求項１３に記載のプリント注文方法。
【請求項１５】
前記検索の後、前記プリント処理状態情報に該当するプリント処理情報の受信再開の指示を受け付ける入力工程を含み、
前記検索工程は、前記入力工程により前記プリント処理情報の受信再開の指示が入力された場合のみ、前記検索を行うことを特徴とする請求項１４に記載のプリント注文方法。
【請求項１６】
前記個体識別情報は、プリント処理情報のファイル名、プリント処理情報ファイルの日付、画像データの日付、画像データのヘッダに含まれる各種情報のうち、少なくとも１つを含むことを特徴とする請求項１３から１５のいずれか一項に記載のプリント注文方法。
【請求項１７】
前記設定工程は、前記第１の機器の中断指示もしくは所定時間以上通信が中断された場合に、前記プリント処理状態情報に中断状態を設定することを特徴とする請求項１３から１６のいずれか一項に記載のプリント注文方法。
【請求項１８】
前記設定工程は、前記プリント処理情報及び前記個体識別情報の受信が完了しなかった場合、プリント処理状態情報に中断状態を設定しないことを特徴とする請求項１３から１７のいずれか一項に記載のプリント注文方法。
【請求項１９】
前記第１の受信工程は、通信が中断された際、受信が完了した受信画像データを、通信再開時に再受信しないことを特徴とする請求項１３から１８のいずれか一項に記載のプリント注文方法。
【請求項２０】
前記第１の受信工程は、通信が再開された際、中断時に受信が未完了であった未完了受信画像データの受信を再開することを特徴とする請求項１３から１８のいずれか一項に記載のプリント注文方法。
【請求項２１】
前記第２の記憶工程に記憶された注文プリント対象画像データの閲覧、複製を禁止する禁止工程を含むことを特徴とする請求項１３から２０のいずれか一項に記載のプリント注文方法。
【請求項２２】
前記第２の機器は、
プリント処理情報の受信再開が、所定時間以内に再開されなかった場合、プリント注文を再開不能に設定する再開不能設定工程を含むことを特徴とする請求項１３から２１のいずれか一項に記載のプリント注文方法。
【請求項２３】
前記第２の機器は、
プリント処理情報の受信再開が、所定時間以内に再開されなかった場合、中断した第１の機器の所有者に対して通知を行う通知工程を含むことを特徴とする請求項１３から２２のいずれか一項に記載のプリント注文方法。
【請求項２４】
前記第１の機器により、
ユーザによる通信接続の変更要求を送信する第２の送信工程と、
前記第２の機器により、
ユーザによる通信接続の変更要求を受信する第２の受信工程と、
通信接続を中断する中断工程と、
通信接続を中断した後、前記第１の機器の接続を待つ待機工程と、
前記待機工程により、前記第１の機器の接続を検出した後、通信を再開する通信再開工程と、
を含むことを特徴とする請求項１３に記載のプリント注文方法。  
【発明の詳細な説明】
【技術分野】
【０００１】
本発明は、プリント注文システム及びプリント注文方法に関する。
【背景技術】
【０００２】
近年、デジタルカメラや、デジタルカメラを搭載した携帯電話などが急速に普及している。このようなデジタルカメラに代表される撮影装置で撮影した画像を高品位にプリントする場合、携帯電話等の無線通信ネットワークを使用して画像データをプリント先に送信することが行われている。撮影装置で撮影した画像データをプリント先へ送信する方法は、プリンタ店等に備えられている受信手段と無線通信を行うことにより実現される。
【０００３】
また、インターネット等のネットワーク技術の開発により、ネットワークを介してデジタルカメラをＰＣ（Personal Computor）に接続し、ネットワーク上のサーバに画像データを送信することも可能になった。このようなネットワーク技術を利用して、撮影装置で生成された画像データの写真プリントやＣＤ−Ｒ等の記録媒体への記録（以下、この記録媒体への記録を総称して「プリント」という）を、インターネット等を介してプリント店の受注サーバに注文（オーダー）するシステムがある（以下、プリントの注文を行うことを「プリントオーダー」という）。  
【０００４】
また、デジタルカメラに代表される撮影装置は近年、メモリ容量が大きくなり、大量の画像データをメモリに保存することができるため、その保存された大量の画像データを転送する時は画像データ通信に長時間を要する。この場合、電波障害や通信圏外に出てしまう可能性がある。
【０００５】
画像データをプリント店の画像サーバへ無線通信により送信する方法として、撮影装置が受信手段の通信エリア内に入った時、受信手段に備えられている画像サーバに自動的に接続して画像データの送信を開始し、通信エリアから出た時はデータ送信を中断するようにしたものがある（例えば、特許文献１参照）。
【特許文献１】特開２００４−１５３５１５号公報
【発明の開示】
【発明が解決しようとする課題】
【０００６】
しかし、特許文献１の技術では、無線通信における短時間での通信復旧は可能であるが、長期間の通信中断の再開時における画像データの処理及び長期間再開されないままの画像データの処理について考慮されていない。
【０００７】
また、ユーザによる意図的な通信の中断やバッテリ切れによる通信の中断、さらには通信中断による復旧動作忘れによる通信再開処理についても考慮する必要がある。
【０００８】
本発明の課題は、画像データの通信が中断されたプリント注文の情報を、通信再接続の際、精度高く検索することである。
【課題を解決するための手段】
【０００９】
上記課題を解決するため、請求項１に記載のプリント注文システムは、
画像データの記録媒体への記録の注文を送信する第１の機器と、
当該第１の機器に通信接続され、前記第１の機器から受信した注文に基づいて当該画像データの記録媒体への記録の注文を受け付ける第２の機器と、を備え
前記第１の機器は、
注文プリント対象画像データと当該注文プリント対象画像データのプリント枚数とが関連付けられたプリント処理情報を記憶する第１の記憶手段と、
前記プリント処理情報、プリント対象画像データ及び前記第１の機器を特定するための個体識別情報を前記第２の機器に送信する第１の送信手段と、を備え、
前記第２の機器は、
前記プリント処理情報、前記注文プリント対象画像データ及び前記個体識別情報を前記第１の機器から受信する第１の受信手段と、
前記第１の機器との通信が中断された際、プリントの状態を示すプリント処理状態情報を中断状態に設定する設定手段と、
前記プリント処理状態情報を中断前に受信した前記個体識別情報、前記プリント処理情報及び前記注文プリント対象画像データに関連付けて記憶する第２の記憶手段と、
を備えることを特徴とする。
【００１０】
請求項２に記載の発明は、請求項１に記載のプリント注文システムにおいて、
通信中断後に前記個体識別情報及び前記プリント処理情報を受信した場合に、通信中断前に受信した前記個体識別情報と通信中断後に受信した前記個体識別情報とを比較することにより通信再開した第１の機器を特定する特定手段と、
前記通信再開した第１の機器を特定した後、前記第２の記憶手段から中断に設定された前記プリント処理状態情報を検索する検索手段と、
を備えることを特徴とする。
【００１１】
請求項３に記載の発明は、請求項２に記載のプリント注文システムにおいて、
前記検索の後、前記プリント処理状態情報に該当するプリント処理情報の受信再開の指示を受け付ける入力手段を備え
前記検索手段は、前記入力手段により前記プリント処理情報の受信再開の指示が入力された場合のみ、前記検索を行うことを特徴とする。
【００１２】
請求項４に記載の発明は、請求項１から３のいずれか一項に記載のプリント注文システムにおいて、
前記個体識別情報は、プリント処理情報のファイル名、プリント処理情報ファイルの日付、画像データの日付、画像データのヘッダに含まれる各種情報のうち、少なくとも１つを含むことを特徴とする。
【００１３】
請求項５に記載の発明は、請求項１から４のいずれか一項に記載のプリント注文システムにおいて、
前記設定手段は、前記第１の機器の中断指示もしくは所定時間以上通信が中断された場合に、前記プリント処理状態情報に中断状態を設定することを特徴とする。
【００１４】
請求項６に記載の発明は、請求項１から５のいずれか一項に記載のプリント注文システムにおいて、
前記設定手段は、前記プリント処理情報及び前記個体識別情報の受信が完了しなかった場合、プリント処理状態情報に中断状態を設定しないことを特徴とする。
【００１５】
請求項７に記載の発明は、請求項１から６のいずれか一項に記載のプリント注文システムにおいて、
前記第１の受信手段は、通信が中断された際、受信が完了した受信画像データを、通信再開時に再受信しないことを特徴とする。
【００１６】
請求項８に記載の発明は、請求項１から６のいずれか一項に記載のプリント注文システムにおいて、
前記第１の受信手段は、通信が再開された際、中断時に受信が未完了であった未完了受信画像データの受信を再開することを特徴とする。
【００１７】
請求項９に記載の発明は、請求項１から８のいずれか一項に記載のプリント注文システムにおいて、
前記第２の記憶手段に記憶された注文プリント対象画像データの閲覧、複製を禁止する禁止手段を含むことを特徴とする。
【００１８】
請求項１０に記載の発明は、請求項１から９のいずれか一項に記載のプリント注文システムにおいて、
前記第２の機器は、
プリント処理情報の受信再開が、所定時間以内に再開されなかった場合、プリント注文を再開不能に設定する再開不能設定手段を含むことを特徴とする。
【００１９】
請求項１１に記載の発明は、請求項１から１０のいずれか一項に記載のプリント注文システムにおいて、
前記第２の機器は、
プリント処理情報の受信再開が、所定時間以内に再開されなかった場合、中断した第１の機器の所有者に対して通知を行う通知手段を含むことを特徴とする。
【００２０】
請求項１２に記載の発明は、請求項１に記載のプリント注文システムにおいて、
前記第１の機器は、
ユーザによる通信接続の変更要求を送信する第２の送信手段を備え、
前記第２の機器は、
ユーザによる通信接続の変更要求を受信する第２の受信手段と、
通信接続を中断する中断手段と、
通信接続を中断した後、前記第１の機器の接続を待つ待機手段と、
前記待機手段により、前記第１の機器の接続を検出した後、通信を再開する通信再開手段と、
を備えることを特徴とする。
【００２１】
請求項１３に記載の発明は、プリント注文方法において、
第１の機器により、
注文プリント対象画像データと当該注文プリント対象画像データのプリント枚数とが関連付けられたプリント処理情報を記憶する第１の記憶工程と、
前記プリント処理情報、注文プリント対象画像データ及び前記第１の機器を特定するための個体識別情報を前記第２の機器に送信する第１の送信工程と、
第２の機器により、
前記プリント処理情報、前記注文プリント対象画像データ及び前記個体識別情報を前記第１の機器から受信する第１の受信工程と、
前記第１の機器との通信が中断された際、プリントの状態を示すプリント処理状態情報の送信を中断状態に設定する設定工程と、
前記プリント処理状態情報を中断前に受信した前記個体識別情報、前記プリント処理情報及び前記プリント対象画像データに関連付けて記憶する第２の記憶工程と、
を含むことを特徴とする。
【００２２】
請求項１４に記載の発明は、請求項１３に記載のプリント注文方法において、
通信中断後に前記個体識別情報及び前記プリント処理情報を受信した場合に、通信中断前に受信した前記個体識別情報と通信中断後に受信した前記個体識別情報とを比較することにより通信再開した第１の機器を特定する特定工程と、
前記通信再開した第１の機器を特定した後、前記第２の記憶工程から中断に設定された前記プリント処理状態情報を検索する検索工程と、
を含むことを特徴とする。
【００２３】
請求項１５に記載の発明は、請求項１４に記載のプリント注文方法において、
前記検索の後、前記プリント処理状態情報に該当するプリント処理情報の受信再開の指示を受け付ける入力工程を含み、
前記検索工程は、前記入力工程により前記プリント処理情報の受信再開の指示が入力された場合のみ、前記検索を行うことを特徴とする。
【００２４】
請求項１６に記載の発明は、請求項１３から１５のいずれか一項に記載のプリント注文方法において、
前記個体識別情報は、プリント処理情報のファイル名、プリント処理情報ファイルの日付、画像データの日付、画像データのヘッダに含まれる各種情報のうち、少なくとも１つを含むことを特徴とする。
【００２５】
請求項１７に記載の発明は、請求項１３から１６のいずれか一項に記載のプリント注文方法において、
前記設定工程は、前記第１の機器の中断指示もしくは所定時間以上通信が中断された場合に、前記プリント処理状態情報に中断を設定することを特徴とする。
【００２６】
請求項１８に記載の発明は、請求項１３から１７のいずれか一項に記載のプリント注文方法において、
前記設定工程は、前記プリント処理情報及び前記個体識別情報の受信が完了しなかった場合、プリント処理状態情報に中断を設定しないことを特徴とする。
【００２７】
請求項１９に記載の発明は、請求項１３から１８のいずれか一項に記載のプリント注文方法において、
前記第１の受信工程は、通信が中断された際、受信が完了した受信画像データを、通信再開時に再受信しないことを特徴とする。
【００２８】
請求項２０に記載の発明は、請求項１３から１８のいずれか一項に記載のプリント注文方法において、
前記第１の受信工程は、通信が再開された際、中断時に受信が未完了であった未完了受信画像データの受信を再開することを特徴とする。
【００２９】
請求項２１に記載の発明は、請求項１３から２０のいずれか一項に記載のプリント注文方法において、
前記第２の記憶工程に記憶された注文プリント対象画像データの閲覧、複製を禁止する禁止工程を含むことを特徴とする。
【００３０】
請求項２２に記載の発明は、請求項１３から２１のいずれか一項に記載のプリント注文方法において、
前記第２の機器は、
プリント処理情報の受信再開が、所定時間以内に再開されなかった場合、プリント注文を再開不能に設定する再開不能設定工程を含むことを特徴とする。
【００３１】
請求項２３に記載の発明は、請求項１３から２２のいずれか一項に記載のプリント注文方法において、
前記第２の機器は、
プリント処理情報の受信再開が、所定時間以内に再開されなかった場合、中断した第１の機器の所有者に対して通知を行う通知工程を含むことを特徴とする。
【００３２】
請求項２４に記載の発明は、請求項１３に記載のプリント注文方法において、
前記第１の機器により、
ユーザによる通信接続の変更要求を送信する第２の送信工程と、
前記第２の機器により、
ユーザによる通信接続の変更要求を受信する第２の受信工程と、
通信接続を中断する中断工程と、
通信接続を中断した後、前記第１の機器の接続を待つ待機工程と、
前記待機工程により、前記第１の機器の接続を検出した後、通信を再開する通信再開工程と、
を含むことを特徴とする。
【発明の効果】
【００３３】
請求項１に記載の発明によれば、第１の機器と第２の機器の通信が中断された後に再接続した際、個体識別情報を基にして第１の機器を特定し、中断状態のプリント処理状態情報を検索することにより、中断中であるプリント注文の精度の高い検索が可能となる。
【００３４】
また、請求項２に記載の発明によれば、通信中断前に受信した個体識別情報と通信中断後に受信した個体識別情報とを比較することにより、第１の機器の精度の高い特定が可能となる。
【００３５】
また、請求項３に記載の発明によれば、入力手段によりプリント処理情報の受信再開の指示が入力された場合のみ検索を行うことにより、ユーザの意図的な検索が可能となる。
【００３６】
また、請求項４に記載の発明によれば、個体識別情報を用いることにより第１の機器の精度の高い特定が可能となる。
【００３７】
また、請求項５に記載の発明によれば、所定時間以上通信が中断された場合にプリント処理状態情報に中断状態が設定されることにより、長期間、通信が中断されても通信再開時に、中断されたプリント注文の検索が可能となる。
【００３８】
また、請求項６に記載の発明によれば、プリント処理情報及び個体識別情報の受信が完了しなかった場合、プリント処理状態情報に中断状態を設定しないことにより、受信が完了していない注文情報を削除することができる。
【００３９】
また、請求項７に記載の発明によれば、受信が完了した受信画像データを通信再開時に再受信しないことにより、無駄な受信動作を省略できる。
【００４０】
また、請求項８に記載の発明によれば、通信中断された未完了画像データの受信途中からの受信が可能となる。
【００４１】
また、請求項９に記載の発明によれば、画像データの閲覧、複製を禁止することにより画像データ等の個人情報の保護が可能となる。
【００４２】
また、請求項１０に記載の発明によれば、プリント処理情報の受信再開が所定時間以内に再開されなかった場合、無駄なデータを省略することができる。
【００４３】
また、請求項１１に記載の発明によれば、プリント処理情報の受信再開が所定時間以内に再開されなかった場合、ユーザは再開されていない中断されたプリント情報を知ることができる。
【００４４】
また、請求項１２に記載の発明によれば、ユーザの意図によりプリント注文の中断及び再開が可能となる。
【００４５】
また、請求項１３に記載の発明によれば、第１の機器と第２の機器の通信が中断された後に再接続した際、個体識別情報を基にして第１の機器を特定し、中断状態のプリント処理状態情報を検索することにより、中断中であるプリント注文の精度の高い検索が可能となる。
【００４６】
また、請求項１４に記載の発明によれば、通信中断前に受信した個体識別情報と通信中断後に受信した個体識別情報とを比較することにより、第１の機器の精度の高い特定が可能となる。
【００４７】
また、請求項１５に記載の発明によれば、入力工程によりプリント処理情報の受信再開の指示が入力された場合のみ検索を行うことにより、ユーザの意図的な検索が可能となる。
【００４８】
また、請求項１６に記載の発明によれば、個体識別情報を用いることにより第１の機器の精度の高い特定が可能となる。
【００４９】
また、請求項１７に記載の発明によれば、所定時間以上通信が中断された場合にプリント処理状態情報に中断状態が設定されることにより、長期間、通信が中断されても通信再開時に、中断されたプリント注文の検索が可能となる。
【００５０】
また、請求項１８に記載の発明によれば、プリント処理情報及び個体識別情報の受信が完了しなかった場合、プリント処理状態情報に中断状態を設定しないことにより、受信が完了していない注文情報を削除することができる。
【００５１】
また、請求項１９に記載の発明によれば、受信が完了した受信画像データを通信再開時に再受信しないことにより、無駄な受信動作を省略できる。
【００５２】
また、請求項２０に記載の発明によれば、通信中断された未完了画像データの受信途中からの受信が可能となる。
【００５３】
また、請求項２１に記載の発明によれば、画像データの閲覧、複製を禁止することにより画像データ等の個人情報の保護が可能となる。
【００５４】
また、請求項２２に記載の発明によれば、プリント処理情報の受信再開が所定時間以内に再開されなかった場合、無駄なデータを省略することができる。
【００５５】
また、請求項２３に記載の発明によれば、プリント処理情報の受信再開が所定時間以内に再開されなかった場合、ユーザは再開されていない中断されたプリント情報を知ることができる。
【００５６】
また、請求２４に記載の発明によれば、ユーザの意図によりプリント注文の中断及び再開が可能となる。
【発明を実施するための最良の形態】
【００５７】
以下、添付図面を参照して本発明に係る第１〜第３の実施の形態を詳細に説明する。ただし、発明の範囲は、図示例に限定されない。
【００５８】
（第１の実施の形態）
図１〜図９を参照して、本発明に係る第１の実施の形態を説明する。先ず、図１〜図３を参照して、本実施の形態の装置構成を説明する。図１に本実施の形態のプリント注文システム１００を示す。図２に受信機器１Ａの内部構成を示す。図３に入力機器２の内部構成を示す。
【００５９】
図１を参照して、本実施の形態のプリント注文システム１００を説明する。プリント注文システム１００は、第１の機器としての入力機器２から受信した画像データを第２の機器としての受信機器１でプリントするシステムである。プリント注文システム１００は、受信機器１と、入力機器２と、を備えて構成される。受信機器１は受信機器１Ａと受信機器１Ｂのどちらか１つで構成される。
【００６０】
受信機器１Ａは、プリント専門店に備えられている写真注文受付機である。写真注文受付機には別体型のプリンタ１Ｃが備えられている。受信機器１Ｂは家庭用のプリンタである。また、入力機器２はデジタルカメラである。本実施の形態の装置構成は受信機器１が写真注文受付機の場合で説明する。図２に示すように受信機器１Ａは設定手段、特定手段、検索手段、再開不能設定手段としてのＣＰＵ（Central Processing Unit）１０と、ＲＯＭ（Read Only Memory）１１と、ＲＡＭ（Random Access Memory）１２と、第２の記憶手段としてのＨＤＤ（Hard Disk Drive）１３と、入力手段としてのタッチパネル１４と、カードＩ／Ｏ（Input／Output）１５と、カードスロット１６と、第１の受信手段、第２の受信手段、中断手段、待機手段、通信再開手段としての通信部１７と、表示コントローラ１８と、通知手段としてのモニター１９と、プリントコントローラ２０と、プリンタ１Ｃと、キャッシュコントローラ２２と、入金装置２３と、出金装置２４と、ＬＥＤ（Light Emitting Diode）２５と、図１では示しているが、図２では省略した入金等の際に用いられる非接触ＩＣリーダー及び磁気カードリーダーと、を備えて構成される。
【００６１】
ＣＰＵ１０は、受信機器の各部を中央制御する。ＣＰＵ１０は、ＲＯＭ１１に記憶されているシステムプログラム及び各種アプリケーションプログラムの中から指定されたプログラムをＲＡＭ１２に展開し、ＲＡＭ１２に展開されたプログラムとの協働で、各種処理を実行する。ＣＰＵ１０と各種プログラムは協働して機能する。ＲＯＭ１１には、第１の通信中断プログラム、第１のプリントオーダー検索プログラムが記憶される。
【００６２】
ＣＰＵ１０は、後述する第１の通信中断プログラムとの協働により、入力機器２と受信機器１Ａの通信が中断された場合に、プリント処理状態情報を中断に変更する。
【００６３】
また、ＣＰＵ１０は、後述するプリントオーダー検索プログラムとの協働により、入力機器２と受信機器１Ａの通信が再接続された場合にプリント処理状態情報が中断であるプリントオーダーを検索する。
【００６４】
ＲＯＭ１１は、読み出し専用の記憶媒体であって、ＣＰＵ１０により実行される各種プログラムや各種データを記憶する。
【００６５】
ＲＡＭ１２は、揮発性のメモリであり、実行される各種プログラムやこれら各種プログラムに係るデータ等を一時的に記憶するワークエリアを形成する。
【００６６】
ＨＤＤ１３は、各種プログラム及び各種データを記憶する。特にＨＤＤ１３は、プリント注文情報、プリン処理情報、個体識別情報、プリント処理状態情報、画像データ等が記憶される。
【００６７】
タッチパネル１４は、抵抗膜式、光学式等のタッチパネルであり、各種機能の選択、実行等のユーザのタッチ入力情報を受付けてＣＰＵ１０に出力する。
【００６８】
カードスロット１６はメモリカード等を着脱自在に装着する。カードＩ／O（Input/Output）１５を介して、カードスロット１６に挿入されたメモリカード等とＣＰＵ１０間でデータの入出力が行われる。また、入金口を備えた入金装置２３、出金装置２４によって入金、つり銭の処理がキャッシュコントローラ２２を介して行われる。
【００６９】
通信部１７は、アクセスポイント、ＬＡＮカード等により構成され、接続される入力機器２を含む外部機器と情報を送受信する。通信プロトコルとしては、ＰＴＰ／ＩＰ（Picture Transfer Protocol/Internet Protocol）、PictBridge等の無線伝送方式によって実現される。このＰＴＰ／ＩＰ又はPictBridgeを採用することにより、入力機器２をわざわざＰＣに接続したり、外部メモリを脱着してパソコンでデータを読み出したりすることなく、入力機器２に記憶される画像データを直接、受信機器１Ａへ送信することができる。
【００７０】
モニター１９は、ＬＣＤ、ＣＲＴ（Cathode Ray Tube）等で構成され、表示コントローラ１８を介してＣＰＵ１０からの表示信号に従って画面表示を行う。
【００７１】
プリンタ１Ｃはプリントコントローラ２０を介して、画像データに基づく画像を記録紙上にプリントする。また、プリンタ２１と受信機器１Ａの接続は有線、無線どちらでもよく、プリンタ２１は受信機器１Ａと一体型でも別体型でも良い。本実施例では、別体型として説明する。
【００７２】
ＬＥＤ２５は発光ダイオードによって、受信機器１Ａと入力機器２の通信状態、受信機器１Ａのエラー等を知らせる。
【００７３】
次いで、図３を参照して、入力機器２の構成について説明する。入力機器２は、ＣＰＵ３１と、ＲＯＭ３２と、ＲＡＭ３３と、第１の記憶手段としての記憶部３４と、入力部３５と、第１の送信手段、第２の送信手段としての通信部３６と、撮像部３７と、表示部３８と、を備えて構成される。
【００７４】
ＣＰＵ３１は、入力機器２の各部を中央制御する。ＣＰＵ３１は、ＲＯＭ３２に記憶されているシステムプログラム及び各種アプリケーションプログラムの中から指定されたプログラムをＲＡＭ３３に展開し、ＲＡＭ３３に展開されたプログラムとの協働で、各種処理を実行する。
【００７５】
記憶部３４は、読み書き可能なフラッシュメモリやハードディスク等により構成され、プリント対象画像データとプリント処理情報等を記憶し、外部メモリに対するデータの読み書きを行う。
【００７６】
入力部３５は、カーソルキーやシャッターキー、各種ボタン等のプログラムの実行や、各種情報等の入力に必要なキー群を備えた入力装置であり、ユーザによって押下されたキーの操作信号をＣＰＵ３１に出力する。
【００７７】
通信部３６は、無線通信、アダプタ等により構成され、受信機器１Ａと情報を送受信する。通信プロトコルとしては、ＰＴＰ／ＩＰ（Picture Transfer Protocol/Internet Protocol）、PictBridge等の無線伝送方式によって実現される。
【００７８】
撮像部３７は、撮影レンズ、ＣＣＤ（Charge Coupled Device）やＣＭＯＳ（Complementary Metal Oxide Semiconductor）等の撮像素子、及びタイミングジェネレータ等によって構成される。
【００７９】
表示部３８は、バックライト付きのカラーＬＣＤ（Liquid Crystal Display）やＥＬＤ（Electronic Luminescent Display）で構成され、入力機器２の各種情報や撮影画像等を表示する。例えば、撮影時には、電子ファインダーとして、撮影している被写体の画像を動画表示（いわゆるファインダー画像を表示）したり、シャッターが切られて撮像された瞬間の画像を表示したりする。
【００８０】
プリント処理情報は、プリントする際に受信機器１Ａが利用する情報である。プリント処理情報は、例えば、ＤＰＯＦ（Digital Print Order Format）等のデータ形式により構成され、画像のサイズ、ファイル名、トリミング設定、機器情報、日付と時刻、プリント時の画像毎の枚数、プリントサイズ、プリント方法等を含む。画像毎の枚数、プリントサイズ、プリント方法は、ユーザにより選択され、他の情報はＣＰＵ１０が設定する。
【００８１】
個体識別情報は、入力機器２を特定する情報であり、例えば、プリント処理情報のファイル名、プリント処理情報ファイルの日付、画像データの日付、画像データのヘッダに含まれる各種情報、入力機器２の固有のＩＤ情報であるＭＡＣ（Media Access Control）アドレス等の情報のうち、少なくとも１つの情報で構成される。
【００８２】
プリント処理状態情報は、プリントを行う際の受信機器１Ａと入力機器２の通信状態を表す情報である。受信機器１Ａと入力機器２の通信が切断されて一定時間経過した後、プリント処理状態情報は中断に変更され、ＨＤＤ１３に記憶される。
【００８３】
次いで、図４及び図５を参照して、受信機器１Ａと入力機器２の通信が中断した時及び中断された時のプリント注文システムの動作を説明する。図４に受信機器１Ａと入力機器２におけるデータ通信の流れ、図５に受信機器１Ａに保存される中断したプリント注文のデータ構造を示す。
【００８４】
図４を参照して、受信機器１Ａと入力機器２におけるデータ通信の流れを説明する。先ず、入力機器２が図示しない無線ＬＡＮポートと無線通信可能な圏内に入ると、入力機器２は、図示しないアクセスポイントに接続されている受信機器１Ａとアクセスポイントを介して通信接続を確立しネットワークを形成する（ステップＳ４１）。
【００８５】
受信機器１Ａは、入力機器２からプリント処理情報、個体識別情報、プリントする画像データを受信して（ステップＳ４２）、受信機器１ＡのＨＤＤ１３もしくは図示しない受信機器１Ａに接続されている記憶装置に保存する。
【００８６】
保存されたプリント処理情報はプリント処理状態情報と関連付けられる。関連付けは、例えば、プリント処理状態情報を示すフォルダの格納場所（パス）にプリント処理情報を示すファイルの格納場所（パス）を指定することにより行われる。
【００８７】
ここで、入力機器２のバッテリ切れ、ユーザが無線通信可能な圏外から出た場合、障害物やノイズによる電波環境の悪化、機器の故障、ユーザによる意図的な通信の中断等により受信機器１Ａと入力機器２の通信接続が切断される（ステップＳ４３）。
【００８８】
その後、受信機器１Ａと入力機器２の通信が再接続されると（ステップＳ４４）、受信機器１Ａは通信受信時に、受付ＩＤを発行する。受付ＩＤを発行することにより、中断されたプリントオーダー（中断プリントオーダー）を検索する検索速度の向上が可能となる。
【００８９】
ステップＳ４４の後、受信機器１Ａはプリント処理情報を受信する（ステップＳ４５）。この時、プリント処理情報の受信に失敗し、なおかつ再接続不可能であった場合、通信を終了する。受信途中のプリント処理情報は不要であるため、削除する。また、受信中のプリント処理情報を一時記憶領域に記憶し、通信終了後に正式な記憶場所に記憶する場合、受信機器１Ａの稼動終了時に一時記憶領域を削除してもよい。
【００９０】
次いで、図５を参照して、受信機器１ＡのＨＤＤ１３に保存されるデータ構造を説明する。受信機器のＨＤＤ１３に保存されるデータは、通信中断された日時を示す中断日５１、通信中断時の情報が格納される中断フォルダ５２、受付ＩＤ５３、個体識別情報５４、プリント処理情報５５、画像データが保存された画像フォルダ５６である。これらのデータは関連付けられた状態でＨＤＤ１３に保存される。
【００９１】
次いで、図６を参照して、通信中断時からの経時変化を説明する。図６に受信機器１Ａと入力機器２の通信が中断した時点からの時間経過を示す。
【００９２】
受信機器１Ａと入力機器２の通信が中断されてから、数分〜数十分は通信の自動復帰が可能なリトライ期間である。リトライ期間が終了すると、通信再開受付期間となる。この期間中、ユーザが受信機器１Ａから通信再開操作を行うことにより通信再開が可能となる。
【００９３】
所定時間経過後、通信中断前に受信されたプリント処理情報及び画像データを受信機器１Ａで保存しておく期間の期限に近づくと（例えば通信中断から１ケ月）、ユーザや受信機器１Ａのオペレータに警告の為、通知が行われる（例えば期限１週間前）。ここで、オペレータへの通知は、受信機器１Ａのモニター１９に表示される。入力機器２のユーザへの通知は、入力機器２の所有者が所有する機器へ通知する（例えばインターネットに接続できる携帯電話へメールにて通知）。期限中に中断プリントオーダーが再開されなかった場合、ＨＤＤ１３から不要データを削除するため受信機器１Ａに保存されたプリント処理情報及び画像データを削除する。このとき、期限が経過したことを入力機器２に通知する。
【００９４】
また、通信中断時にプリント処理情報又は画像データの受信が完了しているときは、受信機器のＨＤＤ１３に受信済みのプリント処理情報及び画像データを受信機器１ＡのＨＤＤ１３に保存する。したがって、通信再開時に受信済みの画像データは再受信しない。受信途中の画像データにおいては、画像データを入力機器２から再度受信してもよい。
【００９５】
また、画像データの情報保護のため、受信機器１Ａに保存された受信済みの画像データ及び受信途中の画像データをオペレータが受信機器１Ａを操作することにより、自由に画像データを閲覧又は複製をすることはできない。
【００９６】
次に、図７〜図９を参照して、通信中断時と通信再開時に受信機器１Ａで実行される動作を説明する。図７に第１の通信中断処理の流れを示す。図８に第１のプリントオーダー検索処理の流れを示す。図９にサムネイル表示された画面を示す。
【００９７】
図７を参照して、通信中断時に受信機器１Ａで実行される第１の通信中断処理を説明する。第１の通信中断処理は、受信機器１Ａと入力機器２の通信が中断された場合に、プリント処理状態情報を中断に変更する処理である。ここで、受信機器１Ａと入力機器２の通信が中断された場合とは、入力機器２のバッテリ切れ、ユーザが無線通信可能な圏外から出た場合、障害物やノイズによる電波環境の悪化、機器の故障等の原因によって通信が切断された場合のことである。
【００９８】
先ず、受信機器１Ａにおいて入力機器２からプリント処理情報の信号受信をしたか否かが判別される（ステップＳ１０１）。信号を受信したと判別された場合（ステップＳ１０１；ＹＥＳ）、受信処理が行われる（ステップＳ１１０）。受信処理後、受信終了するか否かが判別される（ステップＳ１１１）。受信終了しない場合（ステップＳ１１１；ＮＯ）、ステップＳ１０１へ移行される。受信終了する場合（ステップＳ１１１；ＹＥＳ）、第１の通信中断処理は終了する。その後、プリント指示があれば、プリントが行われる。信号を受信しなかったと判別された場合（ステップＳ１０１；ＮＯ）、受信機器１Ａは一定時間（０秒以上）、入力機器２からの信号を待つことにより、受信待ちタイムアウトが発生するか否かが判断される（ステップＳ１０２）。
【００９９】
この再開待機中、待機中であることを判別可能なＬＥＤ２５の表示やメッセージを画面に表示してもよい。例えばＬＥＤ２５の表示の場合、自動再開が可能な時は点滅、再接続が必要な時はオレンジ、プリント処理情報送信失敗時は赤で表示するとしてもよい。以下、ＬＥＤ表示の場合で説明する。
【０１００】
ステップＳ１０２において、受信待ちタイムアウトが発生しない場合（ステップＳ１０２：ＮＯ）、ステップＳ１０１へ移行される。受信待ちタイムアウトが発生した場合（ステップＳ１０２：ＹＥＳ）、中断待ちＬＥＤパターンがＬＥＤ２５にセットされる（ステップＳ１０３）。そして、受信待ちタイムアウトの計算が開始される（ステップＳ１０４）。
【０１０１】
ステップＳ１０４の実行後、受信機器１Ａと入力機器２の通信が復帰したか否かが判別される（ステップＳ１０５）。入力機器２との通信が復帰された場合（ステップＳ１０５；ＹＥＳ）、ステップ１１０へ移行される。入力機器２との通信が復帰されない場合（ステップＳ１０５；ＮＯ）、受信機器１Ａは一定時間（０秒以上）、入力機器２からの信号を待つことにより、一定時間経過したか否かが判別される（ステップＳ１０６）。
【０１０２】
ステップＳ１０６において、一定時間が経過していない場合（ステップＳ１０６；ＮＯ）、ステップＳ１０５へ移行される。一定時間が経過した場合（ステップＳ１０６；ＹＥＳ）、正常時のＬＥＤ点灯パターンがＬＥＤ２５にセットされる（ステップＳ１０７）。
【０１０３】
ステップＳ１０７の実行後、プリント処理状態情報が中断に変更される（ステップＳ１０８）。ここで、プリント処理情報及び個体識別情報の受信が完了していないときは、プリント処理状態情報に中断が記録されない。
【０１０４】
そして、通信終了処理が行われ（ステップＳ１０９）、第１の通信中断処理が終了する。
【０１０５】
次いで、図８及び図９を参照して、受信機器１Ａで実行される第１のプリントオーダー検索処理を説明する。第１のプリントオーダー検索処理は、ユーザの中断再開指示があった場合のみプリント処理状態情報が中断であるプリントオーダーを検索する処理である。
【０１０６】
先ず、ユーザによる受信機器１Ａのタッチパネル１４の操作によって通信中断再開を指示することにより、通信が確立される（ステップＳ１２１）。受信機器１Ａには入力機器２から中断されたプリントオーダーを検索するため通信中断されたプリントオーダー（中断プリントオーダー）を特定するための情報が受信される（ステップＳ１２２）。
【０１０７】
中断プリントオーダーを特定するための情報とは、例えば、プリント処理情報（プリント処理情報に含まれるファイルの日付けはプリントオーダー毎に異なる）、ＤＣＩＭ（Digital Camera IＭages）のフォルダ構成、画像データの日付やヘッダ情報、受付ＩＤ番号等である。これらの情報とプリントオーダー毎のプリント処理情報及び個体識別情報を複数参照することで、中断プリントオーダーの検索が可能となる（ステップＳ１２３）。また、ＤＣＩＭフォルダはＤＣＦ（Design rule for Camera File system）の画像保存フォルダに関する規定に従って作成されたフォルダである。このＤＣＦの画像保存フォルダには入力機器２のメーカー名等が記録されている。
【０１０８】
プリント処理状態情報が中断中の中断プリントオーダーのうち、現在接続されている入力機器２に一致する個体識別情報を有するプリントオーダーが受信機器１Ａに存在するか否かが判断される（ステップＳ１２４）。ここで、一致するプリントオーダーが存在しない場合（ステップＳ１２４；ＮＯ）、新規プリントオーダーとして受付が実施される（ステップＳ１３６）。
【０１０９】
現在接続されている受信機器１Ａに一致するプリントオーダー（一致プリントオーダー）が存在するとき（ステップＳ１２４；ＹＥＳ）、受信機器１Ａにより自動的に既存プリントオーダーが継続される。または、受信機器１Ａのモニター１９の表示画面に既存プリントオーダーを継続するか否かを表示して、ユーザの判断に任せても良い。以下、ユーザが選択する場合について説明する。
【０１１０】
ユーザにより、一致プリントオーダーが新しいプリントオーダー（新規プリントオーダー）もしくは受信機器１Ａに既に存在するプリントオーダー（既存プリントオーダー）であるか否かが選択される（ステップＳ１２５）。ユーザにより新規プリントオーダーが選択された場合（ステップＳ１２５；新規プリントオーダー）、受信機器１Ａに存在する既存プリントオーダーの保存期間がモニター１９に表示される（ステップＳ１３５）。例えば、図６に示すように保存期間が１週間後の場合、警告がモニター１９に表示される。その後、新規プリントオーダーの受付が実施される（ステップＳ１３６）。ユーザにより既存プリントオーダーを選択された場合（ステップＳ１２５；既存プリントオーダー）、既存プリントオーダーが継続される。
【０１１１】
ここで、ユーザが既存プリントオーダーに該当する画像データの編集作業等を行うことにより、受信機器１Ａに保存されている画像データが変更されている場合がある。画像データの変更を確認するため、受信機器１Ａに入力機器２から既存プリントオーダーに該当するプリント処理情報が受信される。そして、受信されたプリント処理情報が、以前受信された受信機器１Ａに保存されてあるプリント処理情報と一致するか確認される。確認は、ユーザにより受信機器１Ａのモニター１９に表示される画面で行われる。このとき、モニター１９に図９に示すように、画像データＦが別タブで区切られた形でサムネイル表示され、ユーザにより選択内容が選択される（ステップＳ１２７）。
【０１１２】
サムネイル表示は、受信機器１Ａのプリント処理情報のみに変更記載がある受信済み画像一覧（ステップＳ１２８）、受信機器１Ａ及び入力機器２のプリント処理情報に変更記載がある既存プリントオーダーで、未だ画像を受信していない変更画像一覧（ステップＳ１２９）、入力機器２のプリント処理情報のみに変更記載がある新規プリントオーダー画像一覧（ステップＳ１３０）で分類される。
【０１１３】
プリント処理情報の一致判定は、プリント処理情報のファイルパスの一致判定、プリント注文情報に登録されている画像データのヘッダー一致判定、画像ファイルの規格であるメーカーノート等で判定可能である。尚、入力機器２は短時間で画像データの編集が困難であるため、プリント処理情報の一致判定は、時間通信再開までの時間が極短い時（例えば１時間以内）であれば、比較しなくてもよい。
【０１１４】
図９の表示上の分類方法としては１つの画面中で色分けをする、マークを付与する、または新たな制御指示によりプリント済み画像の表示トーンを他と異なるトーンにする等としてもよい。
【０１１５】
ユーザによりプリントしたい画像が選択されると、選択画面が受付される（ステップＳ１３１）。選択画面操作を終了する場合（ステップＳ１３２；ＹＥＳ）、確認画面がモニター１９に表示される（ステップＳ１３３）。選択画面操作を終了しない場合（ステップＳ１３２；ＮＯ）ステップＳ１２６へ移行する。ステップＳ１３３の実行後、プリント動作へ移行され（ステップＳ１３４）、第１のプリントオーダー検索処理が終了する。
【０１１６】
また、ステップＳ１２４の実行後、ユーザが受信機器１Ａの画面操作を行わずに、受信機器１Ａが自動的にプリント（ステップＳ１３４）を行ってもよい。このとき、受信機器１Ａは受信した画像データと以前に受信した画像データの和を自動的にプリントする。
【０１１７】
以上、本実施の形態によれば、受信機器１Ａと入力機器２の通信が中断された後に再接続した際、入力機器２の個体識別情報を基にして入力機器２を特定し、中断状態のプリント処理状態情報を検索することにより中断中のプリントオーダーの精度の高い検索が可能となる。
【０１１８】
また、ユーザのタッチパネル１４の操作によりプリント処理情報の受信再開の指示が入力された場合のみ検索を行うことにより、ユーザの意図的な検索が可能となる。
【０１１９】
また、通信中断前に受信した入力機器２の個体識別情報と通信中断後に受信した入力機器２の個体識別情報とを比較することにより、入力機器２の精度の高い特定が可能となる。
【０１２０】
また、入力機器２を特定する個体識別情報を用いることにより入力機器２の精度の高い特定が可能となる。
【０１２１】
また、受信機器１Ａと入力機器２の通信が所定時間以上、中断された場合にプリント処理状態情報に中断状態が設定されることにより、長期間通信が中断されても通信再開時に、中断されたプリントオーダーの検索が可能となる。
【０１２２】
また、受信機器１Ａにおいて、プリント処理情報及び個体識別情報の受信が完了しなかった場合、プリント処理状態情報に中断状態を設定しないことにより、受信が完了していないプリントオーダーを削除することができる。
【０１２３】
また、受信機器１Ａにおいて、受信が完了した受信画像データを通信再開時に再受信しないことにより、無駄な受信動作を省略できる。
【０１２４】
また、画像データの通信中に中断された受信が完了していない未完了画像データを、通信再開時に受信途中から受信が可能となる。
【０１２５】
また、画像データの閲覧、複製を禁止することにより画像データ等の個人情報の保護が可能となる。
【０１２６】
また、プリント処理情報の受信再開が所定時間以内に再開されなかった場合、ＨＤＤ１３から再開されなかった無駄なデータを省略することができる。
【０１２７】
また、プリント処理情報の受信再開が所定時間以内に再開されなかった場合、ユーザは再開されていない中断されたプリントオーダーを知ることができる。
【０１２８】
また、プリント処理情報の変更情報に基づいて、画像データが受信機器１Ａのモニターに分類された状態で表示されるので、画像データに変更があった場合でも、ユーザは変更があった画像データを容易に知ることができる。
【０１２９】
また、受信機器１Ａとプリンタ１Ｃが別体型であることにより、ユーザが受信機器１Ａの操作を施さない場合は、自動的なプリントが可能である。この場合、ユーザは画像データ送信中に受信機器１Ａの前に居続ける必要がなく、受信機器１Ａから離れて自由に行動できる。
【０１３０】
また、受信機器１Ａとプリンタ１Ｃを別体型とすることにより、出力されたプリントはプリント店の店員以外の目にふれることはなく、盗まれることもないので、プリントの保護を図ることができる。
【０１３１】
（第２の実施の形態）
図１０を参照して、本発明に係る第２の実施の形態を説明する。図１０に第２の通信中断処理の流れを示す。
【０１３２】
本実施の形態の装置構成は、第１の実施形態と同様にプリント注文システム１００を用い、その異なる部分を主として説明する。
【０１３３】
受信機器１Ａにおいて、ＲＯＭ１１に第２の通信中断プログラムが記録される。
【０１３４】
図１０を参照して、本実施の形態において受信機器１Ａで実行される第２の通信中断処理を説明する。第２の通信中断処理はユーザの意図的な通信変更要求のにより、プリント処理状態情報を中断に変更する処理である。
【０１３５】
ユーザが入力機器２の入力キー操作等により通信中断が指示された後、中断指示情報が受信機器１Ａへ送信され、受信機器１Ａは中断要請信号を受理するか否かが判断される（ステップＳ２０１）。受信機器１Ａが中断要請信号を受理しない場合（ステップＳ２０１；ＮＯ）、受信処理が行われる（ステップＳ２０９）受信処理後第２の通信中断処理は終了する。
【０１３６】
受信機器１Ａが中断要請信号を受理する際（ステップＳ２０１；ＹＥＳ）、受信機器１Ａから受信済みの画像一覧（画像リスト）が入力機器２へ送信される（ステップＳ２０２）。入力機器２に画像リストデータが受信され（ステップＳ２０３）、ユーザは入力機器２の表示部３８で受信した画像リストを確認することができ、中止信号、中断信号、プリント指示信号から信号の種類が選択される（ステップＳ２０４）。
【０１３７】
ユーザにより画像リストのプリントを行わないと判断された場合、入力機器２から中止信号が送信され、受信機器１Ａに中止信号が受理される。受信機器１Ａに中止信号が受理された後、受信されたプリント処理情報及び画像データが破棄される（ステップＳ２０５）。そして、受信機器１Ａは入力機器２との通信終了処理が行われる（ステップＳ２０８）。
【０１３８】
ユーザにより入力機器２と受信機器１Ａの通信を中断すると判断された場合、入力機器２から中断信号が送信され、受信機器１Ａに中断信号が受理される。受信機器１Ａにより中断信号が受理された後、プリント処理情報と関連付けられているプリント処理状態情報を中断に変更する中断処理を行われる（ステップＳ２０６）。そして、通信終了処理が行われる（ステップＳ２０８）。
【０１３９】
ユーザにより画像リストのプリントを行うと判断された場合、入力機器２からプリントする画像のプリント指定指示とプリント実行指示が受信機器１Ａへ送信され、受信機器１Ａはプリント指定指示とプリント実行指示が受信される。受信機器１Ａにプリント指定指示とプリント実行指示が受信された後、プリント実行指示が行われる（ステップＳ２０７）。この後、プリント実行指示があれば、プリントされる。そして、通信終了処理が行われる（ステップＳ２０８）。
【０１４０】
ステップＳ２０８の実行後、第２の通信中断プログラムが終了する。
【０１４１】
以上、本実施の形態によれば、ユーザの意図によりプリントオーダーの中断及び再開が可能となる。
【０１４２】
（第３の実施の形態）
図１１〜図１３を参照して、本発明に係る第３の実施の形態を説明する。図１１に本実施の形態の装置構成、図１２に第３の通信中断プログラムの流れを示す。図１３に第２のプリントオーダー検索処理の流れを示す。
【０１４３】
本実施の形態の装置構成は、第１の実施形態と同様にプリント注文システム１００を用い、その異なる部分を主として説明する。
【０１４４】
図１１はプリント注文システム１００の受信機器１がプリンタとしての受信機器１Ｂである場合の構成である。受信機器１ＢはＣＰＵ３０１と、ＲＯＭ３０２と、ＲＡＭ３０３と、ＬＥＤ３０４と、カードＩ／Ｏ３０５と、カードスロット３０６と、通信部３０７と、プリントコントローラ３０８と、プリント作成装置３０９と、ＵＳＢ３１０と、図１では示したが、図１１では省略した給紙部と、排紙部と、を備えて構成される。以下に、図２と異なる部分を主として説明する。
【０１４５】
ＣＰＵ３０１は、受信機器１Ｂの各部を中央制御する。ＣＰＵ３０１は、ＲＯＭ３０２に記憶されているシステムプログラム及び各種アプリケーションプログラムの中から指定されたプログラムをＲＡＭ３０３に展開し、ＲＡＭ３０３に展開されたプログラムとの協働で、各種処理を実行する。ＣＰＵ３０１と各種プログラムは協働して、機能する。ＲＯＭ３０２には、第３の通信中断プログラムが記憶される。
【０１４６】
ＣＰＵ３０１は、後述する第３の通信中断プログラムとの協働により、プリント作成装置３０９と入力機器２の通信が切断された場合、プリント処理状態情報を中断に変更する。
【０１４７】
また、ＣＰＵ３０１は、後述する第２のプリントオーダー検索プログラムとの協働により、プリント処理状態情報が中断であるプリントオーダーを検索する。
【０１４８】
プリント作成装置３０９はプリントコントローラ３０８を介して、画像データに基づく画像を記録紙上にプリントする。尚、プリントコントローラ３０８は記録紙の搬送と記録紙への印画動作を制御するものであってもよく、接続されているプリント作成装置に送信する画像を制御するものであってもよい。また、ＵＳＢ３１０により入力機器２との通信が可能となる。
【０１４９】
次に図１２を参照して、受信機器１Ｂで実行される第３の通信中断処理を説明する。第３の通信中断処理は、受信機器１Ｂと入力機器２の通信が中断された場合に、プリント処理状態情報を中断に変更する処理である。
【０１５０】
図１２におけるステップＳ３１１、Ｓ３１２、Ｓ３１３は図７のステップＳ１０１、Ｓ１０２、Ｓ１０３と同様である。ステップＳ３１３で中断待ちＬＥＤをセットした後、受信機器１Ｂと入力機器２の通信復帰が可能か否かが判断される（ステップＳ３１４）。
【０１５１】
受信機器１Ｂの通信が復帰した場合（ステップＳ３１４；ＹＥＳ）、受信処理へ移行される（ステップＳ３１７）。プリンタの通信が復帰されない場合（ステップＳ３１４；ＮＯ）、プリンタ２１は一定時間（０秒以上）入力機器２からの信号を待つことにより、一定時間経過したか否かが判別される。（ステップＳ３１５）。一定時間経過していない場合（ステップＳ３１５；ＮＯ）、ステップＳ３１４へ移行される。一定時間経過した場合（ステップＳ３１５；ＹＥＳ）プリント処理状態情報が中断に変更され、受信機器１Ｂの通信部１０７以外がオートオフされる（ステップＳ３０６）。
【０１５２】
オートオフ時には、プリント処理情報、プリント処理状態情報、個体識別情報、画像データ等を受信機器１ＢのＲＡＭ１０３に記憶しておくため、ＲＡＭ１０３は通電したままにする。もしくは、図示しない不揮発メモリに通信再開時に必要な個体識別情報と、プリント注文情報が中断された入力機器２の位置情報を保存してもよい。また、プリントオーダーの進捗管理は、受信したプリントオーダーのプリント処理情報へ記録、もしくは受信した画像データのヘッダ内に記録してもよい。
【０１５３】
ステップＳ３１６実行後、ステップＳ３１４へ移行される。このとき、ＬＥＤの点灯色やパターンで待機状態を表示することが好ましい。そして、ステップＳ３１４移行後に、通信が復帰されると(ステップＳ３１４；ＹＥＳ)、オートオフは解除される。ステップＳ３１７実行後、第３の通信中断処理は終了する。
【０１５４】
次に図１３を参照して、通信再開時に受信機器１Ｂで実行される第２のプリントプリントオーダー検索処理を説明する。第２のプリントプリントオーダー検索処理は、ユーザの中断再開指示があった場合のみプリント処理状態情報が中断であるプリントオーダーを検索する処理である。
【０１５５】
ステップＳ３２１、Ｓ３２２、Ｓ３２３、Ｓ３２４は図８のステップＳ１１１、ステップＳ１１２、ステップＳ１１３、ステップＳ１１４と同様である。ステップＳ３２４の実行後、一致するプリントオーダーが存在しない場合（ステップＳ３２４；ＮＯ）、新規プリントオーダーとして受付が実施される（ステップＳ３２７）。
【０１５６】
一致するプリントオーダーが存在する場合（ステップＳ３２４；ＹＥＳ）、受信機器１Ｂから入力機器２に受信済み画像の識別情報が送信され、入力機器２の画面上で画像がユーザに選択されて、画像選択情報が入力機器２から受信機器１Ｂへ送信される（ステップＳ３２５）。ユーザは画面を参照することにより、プリントしたい画像の選択、確認をすることができる。確認後、通信中断により中断された画像データの途中から受信再開が行われ、プリントへ移行される（ステップＳ３２７）。そして、第２の中断プリントオーダー検索処理が終了する。
【０１５７】
以上、本実施の形態によれば、家庭用のプリンタ等でも入力機器２との通信が中断された後に再接続した際、個体識別情報を基にして入力機器２を特定し、中断状態のプリント処理状態情報を検索することにより中断中のプリントオーダーの精度の高い検索が容易となる。
【０１５８】
なお、上記実施の形態における記述は、本発明に係るプリント注文システム、プリント注文方法の一例であり、これに限定されるものではない。
【０１５９】
例えば、受信機器１としては写真注文受付機、家庭用プリンタに限定されるものではなく、Ｗｅｂの画像ストレージサーバ、プリントサーバ等としてもよい。また、入力機器２はデジタルカメラに限定されるものではなく、電子手帳、携帯電話、ＰＣ、ＴＶ、携帯ゲーム機等としてもよい。
【０１６０】
また、入力機器２との通信は、Bluetooth、ＬＡＮ（Local Area Network）、赤外線等の無線通信、ＵＳＢ（Universal Serial Bus）、ＩＥＥＥ（Institute of Electrical and Electronic Engineers）１３９４等の有線通信、メモリカードの着脱等で接続することとしてもよい。
【０１６１】
また、上記実施の形態では、受信機器１は単数の入力機器２と接続する構成としたが、複数の入力機器２と同時接続する構成としてもよい。
【０１６２】
また、受信機器１Ａが入力機器２との通信再開待機中にＬＥＤ表示とする構成としたが、メッセージを入力機器２の画面に表示する構成としてもよく、入力機器２に通信遮断の復帰可能時間を通知しておき、通信中断時に入力機器側で通信状態の表示をする構成としてもよい。
【０１６３】
また、受信機器１と入力機器２における通信の確立及び中断方法は、各通信方式に沿った形で行えばよい。
【０１６４】
また、プリンタへのプリント操作手順や写真プリント受付機の操作手順は、市販の機器の操作に沿った形で行えばよい。
【０１６５】
また、上記実施の形態における受信機器１、入力機器２の細部構成及び詳細動作に関しても、本発明の趣旨を逸脱しない範囲で適宜変更可能である。
【図面の簡単な説明】
【０１６６】
【図１】本発明に係るプリント注文システムシステム１００の構成例を示す図である
【図２】受信機器１Ａの構成を示すブロック図である。
【図３】入力機器２の構成を示すブロック図である。
【図４】受信機器１Ａと入力機器２のデータ通信とのデータ通信を示す図である。
【図５】受信機器１ＡのＨＤＤ１３に保存されるデータ構成を示す図である。
【図６】通信中断時からの時間の流れを示す図である。
【図７】第１の通信中断処理を示すフローチャートである。
【図８】第１のプリントオーダー検索処理を示すフローチャートである。
【図９】画像データのサムネイル表示を示す図である。
【図１０】第２の通信中断処理を示すフローチャートである。
【図１１】受信機器１Ｂの構成を示すブロック図である。
【図１２】第３の通信中断処理を示すフローチャートである。
【図１３】第２のプリントオーダー検索処理を示すフローチャートである。
【符号の説明】
【０１６７】
１００  プリント注文システム
１   受信機器
１Ａ 受信機器
１Ｂ   受信機器
１Ｃ プリンタ
２   入力機器
１０ ＣＰＵ
１１ ＲＯＭ
１２ ＲＡＭ
１３ ＨＤＤ
１４ タッチパネル
１５ カードＩ／Ｏ
１６ カードスロット
１７ 通信部
１８ 表示コントローラ
１９ モニター
２０ プリントコントローラ
２２ キャッシュコントローラ
２３ 入金装置
２４ 出金装置
２５ ＬＥＤ
３１ ＣＰＵ
３２ ＲＯＭ
３３ ＲＡＭ
３４ 記憶部
３５ 入力部
３６ 通信部
３７ 撮像部
３８ 表示部
４１ 現在日時
４２ プリント処理状態情報
４３ 受付ＩＤ
４４ 個体識別情報
４５ プリント注文情報
４６ 画像フォルダ
３０１ ＣＰＵ
３０２ ＲＯＭ
３０３ ＲＡＭ
３０４ カードＩ／Ｏ
３０６ カードスロット
３０７ 通信部
３０８ プリントコントローラ
３０９ プリント作成装置
【図１】
2007158615.tif 000003
【図２】
2007158615.tif 000004
【図３】
2007158615.tif 000005
【図４】
2007158615.tif 000006
【図５】
2007158615.tif 000007
【図６】
2007158615.tif 000008
【図７】
2007158615.tif 000009
【図８】
2007158615.tif 000010
【図９】
2007158615.tif 000011
【図１０】
2007158615.tif 000012
【図１１】
2007158615.tif 000013
【図１２】
2007158615.tif 000014
【図１３】
2007158615.tif 000015